(57)【特許請求の範囲】
【請求項１】
発熱量を可変できる熱源機と、前記熱源機を囲繞する複数の開口部を有する風路と、送風量を可変できる送風機と、前記熱源機の下流側に設けた耐熱性材料からなるトラップ用フィルターと、吸込口に設けたフィルターとを備え、運転開始時には発熱量もしくは送風量、あるいは発熱量および送風量を共に定格値もしくはそれ以上とする制御部を有する温風暖房機。
【請求項２】
発熱量を可変できる熱源機と、前記熱源機を囲繞する複数の開口部を有する風路と、送風量を可変できる送風機と、前記熱源機の下流側に設けた耐熱性材料からなるトラップ用フィルターと、吸込口に設けたフィルターとを備え、定格の最大発熱量よりも少ない運転の時には、定期的に送風量を定格値もしくはそれ以上とする制御部を有する温風暖房機。
【請求項３】
発熱量を可変できる熱源機と、前記熱源機を囲繞する複数の開口部を有する風路と、送風量を可変できる送風機と、前記熱源機の下流側に設けた耐熱性材料からなるトラップ用フィルターと、吸込口に設けたフィルターとを備え、定格の最大発熱量よりも少ない運転の時には、発熱量もしくは送風量、あるいは発熱量および送風量を共に一定時間だけ多くする制御部を有する温風暖房機。
【請求項４】
発熱量を可変できる熱源機と、前記熱源機を囲繞する複数の開口部を有する風路と、送風量を可変できる送風機と、前記熱源機の下流側に設けた耐熱性材料からなるトラップ用フィルターと、吸込口に設けたフィルターと、吹出口に設けた温風の吹出方向を可変できるルーバーとを備え、運転開始時もしくは、定期的に前記ルーバーを一定時間だけ下向きに設定する制御部を有する温風暖房機。
【請求項５】
発熱量を可変できる熱源機と、前記熱源機を囲繞する複数の開口部を有する風路と、送風量を可変できる送風機と、前記熱源機の下流側に設けた耐熱性材料からなるトラップ用フィルターと、吸込口に設けたフィルターとを備え、運転を停止する時は、先ず送風機を停止し、一定時間後に熱源機を停止し、再び送風機を一定時間だけ運転する制御部を有する温風暖房機。
【請求項６】
送風路の適所にバイパス風路を設け、このバイパス風路を経由する送風量と同じかもしくは少なくなるように風路開口面積を構成した請求項１ないし５のいずれか１項記載の温風暖房機。
【発明の詳細な説明】
【０００１】
【発明の属する技術分野】
本発明は空気中の生物粒子の除去並びに殺菌機能を有する温風暖房機の技術に関するものである。
【０００２】
【従来の技術】
従来、この種の浄化あるいは殺菌装置は、例えば、特開平４−２８１８２１号公報に示すようなものが一般に知られていた。以下、その構成について図４を参照しながら説明する。図４に示すように、送風機２０により誘起された空気は、吸込口２１ならびに同送風機２０の上流側に設けた触媒を担持したフィルター２２を通り、吹出口２３から室内に放出されるように構成されている。このフィルター２２が生物および非生物粒子を捕捉し、触媒によって非生物粒子を浄化するようになっていた。あるいは、特開昭６１−２２１７９１号公報あるいは特開平１−２４９０１８号公報に示されるようにフィルター２２の他に紫外線ランプあるいはオゾンを発生させるオゾナイザーを設けることによって生物粒子を殺菌するようになっている。
【０００３】
【発明が解決しようとする課題】
しかしながら、前記する従来の浄化あるいは殺菌装置は、触媒を担持したフィルターあるいは抗菌抗黴処理したフィルターでは非生物粒子がフィルター表面を覆うと生物粒子を十分に殺菌できないという問題を有していた。さらに、現在使用されている低圧水銀紫外線ランプは照射強度が小さいために殺菌力を維持するためには、照射時間を長くしたり、ランプ数の増加などの対策が必要である。このために、紫外線殺菌を用いる場合、その制御性およびメンテナンスの繁雑さが問題となっている。また、オゾナイザイを用いる場合は、オゾンによる２次汚染を抑制するために、余剰のオゾンを分解するための触媒、あるいはオゾンを吸着するための吸着剤が新たに必要となるなどの問題がある。
【０００４】
【課題を解決するための手段】
本発明は上記課題を解決するために、発熱量を可変できる熱源機と、前記熱源機を囲繞する複数の開口部を有する風路と、送風量を可変できる送風機と、前記熱源の下流に設けた耐熱性材料からなるトラップ用フィルターと、吸込口に設けたフィルターとを備え、合わせて発熱量もしくは送風量を可変させる制御部を有するものである。
【０００５】
従って、本発明によれば、通常運転により生物粒子をトラップ用フィルターに補足するシステムと、運転開始時に行う補足した生物粒子を発熱量もしくは送風量を可変させて死滅させるシステムとに分けられる。そして、トラップ用フィルターで捕捉された微生物の粒子を専ら死滅させるシステムによって短時間かつ効果的に死滅させることができる。したがって、殺菌力が経時的に低下することがなく、またメンテナンスも不要となる。
【０００６】
【発明の実施の形態】
請求項１記載に係わる発明は、発熱量を可変できる熱源機と、前記熱源機を囲繞する複数の開口部を有する風路と、送風量を可変できる送風機と、前記熱源機の下流側に設けた耐熱性材料からなるトラップ用フィルターと、吸込口に設けたフィルターとを備え、運転開始時には発熱量もしくは送風量、あるいは発熱量および送風量共に定格値もしくはそれ以上とする制御部を設けたことにより、生物粒子をトラップ用フィルターに捕捉するシステムと、捕捉した生物粒子を熱によって死滅させるシステムと、死滅温度を制御するシステムに分けて、夫々のシステムにあった効果的な機能を発揮する温風暖房機を実現できる。
【０００７】
請求項２記載に係わる発明は、定格の最大発熱量よりも少ない運転の時には、定期的に送風量を最大定格値もしくはそれ以上と制御部を設けたことにより、本来なら急激な室内の生物粒子の増加に対応できない送風量の状況下でも、生物粒子を死滅することができる温風暖房機を実現できる。
【０００８】
請求項３記載に係わる発明は、定格の最大発熱量よりも少ない運転の時には、発熱量もしくは送風量、あるいは発熱量および送風量を共に一定時間だけ多く設定する制御部を設けたことにより、本来なら急激な室内の生物粒子の増加に対応できない発熱量の状況下でも、生物粒子を死滅させることができる温風暖房機を実現できる。
【０００９】
請求項４記載に係わる発明は、吹出口に設けた温風の吹出方向を可変できるルーバーを備え、運転開始時もしくは、定期的に前記ルーバーを一定時間だけ下向きに設定する制御部を設けたことにより、温風が到達する床面に落下する生物粒子を死滅させるものである。
【００１０】
請求項５記載に係わる発明は、運転を停止する時は、先ず送風機を停止し、一定時間後に熱源機を停止し、再び送風機を一定時間運転する制御部を設けたことによって、高温空気は吹出口からではなく吸込口から室内に放出される。このときフィルター上に捕捉されている生物粒子を死滅させるものである。
【００１１】
請求項６記載に係わる発明は、バイパス風路を備え、前記バイパス風路を経由する送風量は、前記風路を通過する送風量よりも同じかもしくは少なくなるように風路開口面積を構成することによって、万一通常の風路の通風抵抗が上昇することに伴う温風温度の上昇を抑制することができる。また、バイパス風路の送風量を通常の風路の送風量以下にしているので、トラップを通過する送風量を極端に減らすことがない。
【００１２】
以下、本発明の実施例について図１、２および図３を参照しながら説明する。
（実施例１）
図１は本発明の実施例１の温風暖房機の縦断面図である。図１において、１はガスバーナーからなる熱源機である。２は上方と下方に開口部を有する風路であり、熱源機１を囲繞している。３は送風機であり、クロスフローファンタイプで、熱源機１及び風路２の下流にある。４は送風機３の上流側に設けた吸込口用フィルターで帯電処理を施してある。５は熱源機１の下流側に設けた生物粒子トラップ用フィルターである。このトラップ用フィルター５は耐熱性材料からなり、複数の通気口を有している。６は制御部で、運転開始時には発熱量もしくは送風量、あるいは発熱量および送風量を共に最大定格値もしくはそれよりも多くするように制御する構成としている。
【００１３】
上記構成において、通常の運転動作を行うとトラップ用フィルター５に生物粒子等が補足される。この運転開始時は、人の出入りおよび送風機３の作動によって床上の生物粒子が室内空気中に舞い上がるために、迅速にこれら浮遊生物粒子を死滅する必要がある。本実施例では、運転開始時に、発熱量を多くすることによってトラップ用フィルター５を通過する温風温度上げることができるために、生物粒子の死滅速度を高めることができる。あるいは、送風量を増やすにより、トラップ用フィルター５を通過する温風量が増すために、時間当たりの生物粒子の捕捉量を上げるができる。従って、生物粒子の除去速度を高めることができる。また発熱量および送風量を同時に増やすとさらに短時間で、室内の物粒子を死滅させることができる。
【００１４】
また、上記制御部６に、定格の最大発熱量よりも少ない運転の時には、定期的に送風量を定格値よりも多くする制御や、発熱量もしくは送風量、あるいは発熱量および送風量を共に一定時間だけ定格の最大値にする制御を取り入れることによって、本来なら急激な室内の生物粒子の増加に対応できない低い発熱量の状況下でも、生物粒子を高速に死滅することができる。
【００１５】
さらに、上記制御部６に運転を停止する時は、先ず送風機３を停止し、一定時間後に熱源機１を停止する。これによって、高温空気はドラフト作用で吹出口７からではなく吸込口８から室内に放出される。このときフィルター４上に捕捉されている生物粒子を死滅させることができる。フィルター４で繁殖する可能性がある生物粒子を温風暖房機の運転を終了する都度、死滅させることができる。なお、熱源機１停止後、本体冷却等の為に送風機３を再び一定時間回転させる。
【００１６】
（実施例２）
図２は本発明の実施例２の温風暖房機の縦断面図である。主要構成部は図１と同じであるが、吹出口ルーバー９を可変とした構成である。運転開始時もしくは、定期的に前記ルーバー９を一定時間だけ下向きに設定する制御を取り入れている。空中に浮遊している生物粒子は、２０〜３０分で多くは床面に落下する。従って床に落下した生物粒子を死滅させるかもしくは再び室内空気中に浮遊させる必要がある。
【００１７】
本実施の構成によれば、ルーバー９を通過した温風は、床面に沿いながら室内に拡散していく。この過程で床面の生物粒子を死滅させながら、一部を空気中に浮遊させる。浮遊した生物粒子は、温風暖房機の吸込口８から流入し、トラップ用フィルター５で捕捉され死滅する。ルーバー９を下向きにするのは、運転開始時もしくは、定期的に一定時間だけである。これは、常時温風が床面に沿いながら流れると床材を変色させる恐れがあるのでこれを避けるためである。
【００１８】
（実施例３）
図３は本発明の実施例３の温風暖房機の縦断面図である。主要構成部は図１と同じであるが、送風機３の斜め上方にバイパス風路１０を設けた構成である。バイパス風路１０を経由する送風量が、前記風路２を通過する送風量よりも同じかもしくは少なくなるように風路開口面積を構成するによって、通常の風路２の通風抵抗が上昇することに伴う温風温度の上昇を抑制することができる。また、バイパス風路１０の送風量を通常の風路の送風量以下にしているので、トラップ用フィルター５を通過する送風量を極端に減らすことがない。
【００１９】
【発明の効果】
以上の説明から明らかなように本発明は、生物粒子をトラップ用フィルターに捕捉するシステムと、捕捉した生物粒子を発熱量あるいは送風量もしくはその両方を可変して発生させた高温風で死滅させるシステムとにわかれ、その結果、室内の温熱環境を損ねることなく生物粒子の殺菌が可能となり、殺菌力の低下が少なく、また殺菌力を維持するためのメンテナンスも不要となる。
【００２０】
また、熱源機を囲繞する風路は、熱源機の周辺を通る室内空気と熱源機から発生する高温ガスとの拡散混合を促進するために、ここにおいても生物粒子の殺菌が可能となる。
【００２１】
そしてトラップ用フィルターを通気口を有する耐熱材料とした場合、上記温度の温風を通過させることができ、しかも通気口内壁で生物粒子の捕捉を行なえるために効果的に殺菌ができる。
【００２２】
さらに、運転開始時には発熱量もしくは送風量、あるいは発熱量および送風量を共に最大定格値よりも多くする制御を取り入れてあり、その結果運転開始時に、発熱量を多くすることによってトラップ用フィルターを通過する温風温度上げることができるために、生物粒子の死滅速度を高めることができる。
【００２３】
また、送風量を増やすことにより、トラップ用フィルターを通過する温風量が増すために、時間当たりの生物粒子の捕捉量を上げるができる。
【００２４】
そして発熱量および送風量を同時に増やすとさらに短時間で、室内の物粒子を死滅させることができる。
【００２５】
また、定格の最大発熱量よりも少ない運転の時には、定期的に送風量を定格値よりも多くする制御や、発熱量もしくは送風量、あるいは発熱量および送風量共に一定時間だけ多くする制御を取り入れた。その結果、本来なら急激な室内の生物粒子の増加に対応できない低い発熱量の状況下でも、生物粒子を高速に死滅させることができる。
【００２６】
さらに、運転を停止する時は、先ず送風機を停止し、一定時間後に熱源機を停止し、再び送風機を一定時間運転する制御を取り入れた。これによって、高温空気はドラフト作用で吹出口からではなく吸込口から室内に放出される。このときフィルター上に捕捉されている生物粒子を死滅させることができる。
【００２７】
また、運転開始時もしくは、定期的にルーバーを一定時間だけ下向きに設定する制御を取り入れたものは、床面の生物粒子を効率よく死滅させることができる。しかも、一部を空気中に浮遊させ、トラップ用フィルターで捕捉させ死滅させることができる。
【図面の簡単な説明】
【図１】本発明の実施例１の温風暖房機の縦断面図
【図２】本発明の実施例２の温風暖房機の縦断面図
【図３】本発明の実施例３の温風暖房機の縦断面図
【図４】従来の空気清浄機の縦断面図
【符号の説明】
１  熱源機
２  風路
３  送風機
４  フィルター
５  トラップ用フィルター
９  吹出口ルーバー
１０  バイパス風路
【図１】
0003726357.tif 000002
【図２】
0003726357.tif 000003
【図３】
0003726357.tif 000004
【図４】
0003726357.tif 000005